(57)【要約】【課題】視覚障害者が識別シールの所在を容易且つ迅速に認識することができ、音声出力を得るための情報源の読み取りを迅速且つ容易に行うことができる識別シールを提供する。【解決手段】スキャナにより情報を読み取り、該読み取った情報を音声により聴取する音声システムに用いられる識別シールであって、シート状の基板２の表面に、触覚より所在を認識させる認識部４を設け、更に、該認識部４の近傍に位置させて音声出力を得るための情報源となる二次元コードを構成するドットコードが配置された複数の被情報読取部３を設けてなることを特徴とする。【選択図】図１
0003138456.tif 000002
【実用新案登録請求の範囲】
【請求項１】
スキャナにより情報を読み取り、該読み取った情報を音声により聴取する音声システムに用いられる識別シールであって、
シート状の基板の表面に、
触覚より所在を認識させる認識部を設け、
更に、該認識部の近傍に位置させて音声出力を得るための情報源となる二次元コードを構成するドットコードが配置された複数の被情報読取部を設けてなることを特徴とする識別シール。
【請求項２】
請求項１に記載の識別シールにおいて、
前記認識部が、前記基板上にて外方へ突出する凸部又は内方へ凹む凹部であることを特徴とする識別シール。
【考案の詳細な説明】
【技術分野】
【０００１】
本考案は、清涼飲料水の容器等に貼付して視覚障害者がその内容物の種類等を音声により認識することができるようにした識別シールに関するものである。
【背景技術】
【０００２】
従来、この種の識別シールとしては、下記に示す特許文献１に記載されるものが知られている。特許文献１には、２つの識別シール（自動認識記号表示体）が記載されている。
この特許文献１に示される第一の識別シールは、表示領域が比較的に小さく情報量の多いバーコード（一次元コード）を採用して、バーコードの周辺に読み取り装置を沿わせるガイド枠を形成し、読み取り装置をこのガイド枠に沿わせて確実にバーコードを読み取らせて識別するものである。
また、この特許文献１に示される第二の識別シールは、シート状に複数のガイド枠を一定間隔おきに複数列設し、各ガイド枠間にバーコードが設けられるものである。
【特許文献１】特開平８−１２９６２６号公報
【考案の開示】
【考案が解決しようとする課題】
【０００３】
ところで、上記特許文献１における第一の識別シールは、ガイド枠が設けられているものであり、このガイド枠を視覚障害者が触覚により認識するための部材として利用することが可能であるが、本来このガイド枠はスキャナをガイドするために設けられたものであって、シート上面より相当程度起立した状態で設けられるため、ガイド枠に触れる際にガイド枠の変形に注意しなければならず、視覚障害者が認識するためのものとしては、適切でないという問題がある。
また、視覚障害者にとって、スキャナをガイド枠に合致させて、このスキャナをバーコードまで至らせる操作に熟練を要するという問題があり、また、読み取らせることができたとしても、その作業に長時間を要するという問題がある。
【０００４】
また、上記特許文献１における第二の識別シールは、複数の枠と各枠の間にコードとが列設されてなる各列の間に相当の余白が設けられているため、目的のコードを狙ってスキャナを持来させて当接させることが難しく、操作に熟練を要するという問題がある。
また、上記いずれの識別シ−ルにおいても、識別にバーコードを用いるため、これをシートに設けた場合にはシート全体の大きさが極めて大きいものとなり、小型化が困難であるという問題がある。
また、上記特許文献１においては、スキャナでバーコードを読み取らせても、視覚障害者にどのように識別の結果を知得させるのかが開示されていない。
【０００５】
本考案は、このような事情を考慮してなされたもので、視覚障害者が識別シールの所在を容易且つ迅速に認識することができ、音声出力を得るための情報源の読み取りを迅速且つ容易に行うことができる識別シールを提供することを目的とする。
【課題を解決するための手段】
【０００６】
上記目的を達成するために、この考案は以下の手段を提供している。
請求項１に係る考案は、スキャナにより情報を読み取り、該読み取った情報を音声により聴取する音声システムに用いられる識別シールであって、シート状の基板の表面に、触覚より所在を認識させる認識部を設け、更に、該認識部の近傍に位置させて音声出力を得るための情報源となる二次元コードを構成するドットコードが配置された複数の被情報読取部を設けてなることを特徴とするものである。
すなわち、この考案に係る識別シールによれば、視覚障害者が触覚により認識部を検知して、識別シールの所在を確認し、その後この識別シールに周知の光学−音声スキャナを接触させることにより、当該識別シールの情報を読み取り、これを音声により聴取することができる。
【０００７】
請求項２に係る考案は、請求項１に記載の識別シールにおいて、前記認識部が、前記基板上にて外方へ突出する凸部又は内方へ凹む凹部であることを特徴とするものである。
すなわち、この考案に係る識別シールを指でなぞれば認識部を検知することができる。
【考案の効果】
【０００８】
請求項１に係る考案によれば、識別シールが、シート状の基板の表面に認識部を設け、更にその近傍に被情報読取部を設けてなるので、視覚により被識別体の内容を知ることができない視覚障害者であっても、触覚によって識別シールの所在を認識することができ、被情報読取部の内容を読み取ることにより被識別体の内容等を聴覚により明確に知得することができる。
また、本考案によれば、被情報読取部をドットコードにより構成するので、スキャナを押し当てるだけの簡単な動作でドットコードを読み取ることができ、複雑な操作が難しい視覚障害者であっても迅速に被識別体の内容を知得することができる。
また、本考案によれば、被情報読取部をドットコードにより構成するので、識別シールを小型化することができ、また、この被情報読取部を複数設けた構成であるので、スキャナ読取操作の自由度を高めることができる。
【０００９】
また、本考案によれば、識別シールがシート状の基板からなるので、湾曲した部位であっても強固に貼付することができる。
また、本考案によれば、識別シールを小型化できるので、比較的に小型の被識別体や複雑な形状を有する被識別体に貼付することが可能であり、多種多様な被識別体を識別することができる。
【００１０】
請求項２に係る考案によれば、請求項１に記載の識別シールにおいて、認識部が凸部又は凹部であるので、識別シールを指でなぞって迅速かつ容易に識別シールの所在を認識することができる。
なお、本考案における「シール」の意味はラベル、札等を意味するものである。
【考案を実施するための最良の形態】
【００１１】
以下、本考案の一実施形態について、図面を参照して説明する。ここで説明する実施の形態は、この考案をボトル入り清涼飲料水のボトルに貼着する識別シールに適用した場合の例である。
図１は、本考案の一実施形態に係る識別シール１の外観構成を示す図であって、図１（ａ）は識別シール１の平面図であり、図１（ｂ）は識別シール１の正面図である。図示するように、本識別シール１は、シート状の基板２と、基板２の表面２ａに設けられた多数の被情報読取部３と、同じく表面２ａ上に設けられた複数の半球形状の認識部４と、基板２の裏面２ｂに塗布された粘性体５と、粘性体５の表面に貼着された剥離紙６とからなっている。
基板２は、円形シート状のものであり、容易に破れることのない加工紙からなっている。
【００１２】
図２は、被情報読取部３の拡大図である。
被情報読取部３は、表面２ａ上であって、認識部４が設けられる領域を除いた領域に、１．３ｍｍ四方に区画された領域からなっているものであり、多数互いに隣接するように升目状に配置されて設けられたものである。各被情報読取部３には、二次元コードを構成するドットコードＣが配置されている。
【００１３】
図２に示すように、ドットコードＣは、微小なドットにより構成される二次元コードであり、各区画された領域内に５×５個のドットがデータ単位となっている。識別シール１の全ての被情報読取部３に配置されるドットコードＣは、５×５個のドットの位置が全て同一のものである。ここで、被情報読取部３の領域ｃ１に配列されるドットが他のドットコードＣとの境界を示し、領域ｃ２のドットの位置の差異によって識別シール１と同様の他の識別シールとが識別される。
【００１４】
図１に戻って、認識部４は、基板２上にて外方に突出するように形成された半球状のものであり、複数の認識部４が基板２の周縁に沿って等間隔環状配置されている。この認識部４は、プラスティック発泡インクを用いて形成されたものであり、基板２の表面２ａに強固に固着されている。
【００１５】
粘性体５は、基板２とボトルとを強固に固着するものであり、この粘性体５には剥離紙６が付着されている。
【００１６】
識別シール１の製造方法について説明すると、まず、裏面２ｂに粘性体５を備えた加工紙のロールに対してドットコードＣを印刷し、プラスティック発砲インクに熱処理を行って半球状の認識部４を形成させた後、このロールを識別シール１の基板２の形状、すなわち円形に裁断することにより製造される。
【００１７】
図３は、被情報読取部３に配置されたドットコードＣを読み取ってユーザに認識させる音声システムＳの構成を示す図である。音声システムＳは、ドットコードＣを読み取るスキャナ７と、スキャナ７が読み取った情報に基づいて音声信号を出力する音声変換装置８と、音声変換装置８から供給される信号に基づいて音声を出力するスピーカ９とからなっている。
【００１８】
スキャナ７は、スキャナ７の先端７ａから照射される赤外線を利用して、複数のドットコードＣの画像を認識するものであり、この認識結果に基づく認識信号を音声変換装置８に出力する。
【００１９】
音声変換装置８は、音声変換装置８の内部メモリに記憶された各音声情報の音声コードの中から、スキャナ７より供給された認識信号に合致する音声コードを判定し、その音声コードに係る音声情報を音声信号としてスピーカ９に出力する。ここで、音声情報とは、各ドットコードＣに設定した被識別体（清涼飲料水入りボトルＨ）の名称であり、ユーザが任意のドットコードＣを読み取って予め設定したものである。この実施形態においては、識別シール１のドットコードＣに基づく読取信号と対応するボトルＨ（図４参照）の名称が音声変換装置８の内部メモリに予め記憶されている。
スピーカ９は、音声変換装置８から供給される音声信号に基づいて音声を出力する。
【００２０】
次に、本考案についての作用について説明する。まず、図４に示すように、上述した識別シール１の剥離紙６を剥離して、この識別シール１をボトルＨの外面に貼着する。
視覚障害者であるユーザがボトルＨの名称を知得したい場合には、ユーザは、識別シール１の所在を認識するためにボトルＨの表面に指を沿わす。このとき、識別シール１には認識部４が形成されているので、認識部４に指が接触すると指から伝わる触覚によって認識部４を検知することができ、識別シール１の所在を認識することができる。
【００２１】
次に、ユーザが認識した識別シール１の位置にスキャナ７の先端７ａを押し当てると、スキャナ７が被情報読取部３のドットコードＣを読み取り、このドットコードＣに対応した音声信号を音声変換装置８がスピーカ９に出力し、スピーカ９がボトルＨの名称を音声にて出力する。
この場合、識別シール１に設けられた被情報読取部３は、互いに隣接するように升目状に多数設けられているため、スキャナ７が任意の升目領域に接することで容易に読み取りを行うことができる。
【００２２】
従って、上述の構成によれば、識別シール１におけるシート状の基板２の表面２ａに認識部４が設け、さらにこの認識部４の近傍にドットコードＣが配列された被情報読取部３が設けられているので、視覚によりボトルＨの名称を知得することができない視覚障害者であっても、触覚によって識別シール１の所在を認識することができ、識別シール１にスキャナ７を押し当て、スピーカ９から出力されるボトルＨの名称を聴覚により明確に知得することができる。
【００２３】
また、被情報読取部３にドットコードＣを配置するので、識別シール１を小型化することができ、また、この被情報読取部３が多数互いに隣接するように配されて設けられるので、スキャナ７を任意の場所に押し当てるだけの簡単な動作でドットコードＣを読み取ることができ、複雑な操作が難しい視覚障害者であっても、簡易な操作で迅速にボトルＨの名称を知得することができる。
【００２４】
また、識別シール１はシート状の基板２からなり、裏面２ｂに粘性体５が塗布されているので、ボトルＨの湾曲した部位に強固に貼付することができる。
また、識別シール１の構成は大きい面積を必要としないので、比較的に小型の被識別体や複雑な形状を有する被識別体に貼付することが可能であり、多種多様な被識別体を識別することができる。
【００２５】
図５と図６は、この考案の別の実施形態を示す図である。これらの図に示す実施形態は、図１から図４に示す識別シールと基本的構成が同一であるが、認識部の形状や基板表面上での位置、図６においては基板のシート形状が異なっている。図５、図６において、図１から図４の構成要素と同一部分については同一符号を付し、その説明を省略する。
【００２６】
図５（ａ）に示す実施の形態においては、認識部４を基板２の表面２ａ全体に散在させるように構成したものである。
図５（ｂ）に示す実施の形態においては、基板２の表面２ａの周縁に沿って円環線状に形成されて、断面形状が半円形状の認識部１１ａが形成されている。また、表面２ａの中心側には、同じく断面形状が半円形状であって、認識部１１ａと同心の認識部１１ｂが円環線状に形成して構成したものである。
図５（ｃ）に示す実施の形態においては、直線状であって断面形状が半円形状に形成されて、基板２の表面２ａの中心に十字でクロスするように認識部１２を形成して構成したものである。
【００２７】
図６（ａ）に示す実施の形態においては、矩形に形成したシート状の基板２０の表面の縁に沿って、複数の認識部４を連続的に配置して構成したものである。
図６（ｂ）に示す実施の形態においては、矩形に形成したシート状の基板２０の表面の中心から各辺の中央に向けて、連続的に認識部４を配置して構成したものである。
図６（ｃ）に示す実施の形態においては、矩形に形成したシート状の基板２０の表面の中心から各辺に向けて、放射状に認識部４を配置したものである。
【００２８】
図６（ｄ）に示す実施の形態においては、矩形に形成したシート状の基板２０の表面の中心に前述した認識部４よりも径、高さ共に大きい認識部２１を設けて構成したものである。
図６（ｅ）に示す実施の形態においては、矩形に形成したシート状の基板２０の対向する一組の縁２２ａ，２２ｂに沿って認識部４を連続的に配置させて構成したものである。
図６（ｆ）に示す実施の形態においては、線状であって、断面形状が矩形の認識部２３を矩形に形成したシート状の基板２０の表面の縁に沿って配置させて構成したものである。
これらの実施の形態においても、前述した実施の形態と同様の効果が得られる一方、良好な外観意匠を得ることができる。また、当然のことながら、認識部の形状や配置の方法は上記実施の形態に限られるものではない。
【００２９】
なお、上記の実施形態では、基板２に加工紙を採用したが、他にもプラスティックフィルム、金属板、樹脂ペーパー等を用いることができる。
また、上記の実施形態では、認識部４をプラスティック発泡インクにより形成したが、認識部４の形成方法はこれに限られるものではない。例えば、プレス、エンボス、金型等で加工したり、認識部４を作成した後、基板２に後付したりしてもよい。なお、プラスティックフィルム、金属板、樹脂ペーパーで基板２を作成した場合は、シルクスクリーン印刷が有効である。
また、上記の実施形態では、認識部４は凸型に形成したが、凹型のものを形成してもよい。
また、上記の実施形態では、基板２の形状を円形、基板２０の形状を矩形に形成したが、多角形、あるいは帯状に形成してもよい。
【図面の簡単な説明】
【００３０】
【図１】本考案の一実施形態に係る識別シール１の外観構成を示す図である。
【図２】本考案の一実施形態に係る識別シール１における被情報読取部３の拡大図である。
【図３】本考案の一実施形態に係る音声システムＳの構成を示す図である。
【図４】本考案の一実施形態に係る識別シール１をボトルＨに貼付した状態を示す図である。
【図５】本考案の一実施形態に係る識別シール１の変形例を示す図である。
【図６】本考案の一実施形態に係る識別シール１の変形例を示す図である。
【符号の説明】
【００３１】
１…識別シール
２，２０…基板
２ａ…表面
２ｂ…裏面
３…被情報読取部
４，１１（１１ａ，１１ｂ），１２，２１，２３…認識部
７…スキャナ
８…音声変換装置
９…スピーカ
Ｃ…ドットコード
Ｈ…ボトル
Ｓ…音声システム
【図１】
0003138456.tif 000003
【図２】
0003138456.tif 000004
【図３】
0003138456.tif 000005
【図４】
0003138456.tif 000006
【図５】
0003138456.tif 000007
【図６】
0003138456.tif 000008